(57)【要約】【課題】  燃料電池から発生した水の保水、排出等を確実に行え、携帯性の高く小型のカメラ等に適した燃料電池を使用した携帯機器を提供する。【解決手段】携帯機器における燃料電池の出し入れを行うよう構成された蓋に弾性を有し水分保水が可能な物質を固定し、燃料電池をカメラ内に装填した時に、該物質で燃料電池の水排出口を押し付けるように構成することで上記課題を解決する。【選択図】  図３
2005174774.tif 000002
【特許請求の範囲】
【請求項１】
水の排出口を有する燃料電池を使用する携帯機器において、前記携帯機器における前記燃料電池の出し入れを行うよう構成された蓋に弾性を有し水分保水が可能な物質を固定し、前記燃料電池をカメラ内に装填した時に、前記物質で前記燃料電池の水排出口を押し付けるように構成したことを特徴とする携帯機器。
【請求項２】
請求項１記載の携帯機器において、前記蓋には前記水分保水が可能な物質の周りに前記蓋から突部状の壁が形成されていることを特徴とする携帯機器。
【請求項３】
請求項１記載の携帯機器において、前記蓋は湿度が通過可能なように構成されていることを特徴とする燃料電池を使用するカメラ及び携帯機器。
【請求項４】
水の排出口を有する燃料電池を使用する携帯機器において、前記携帯機器の前記燃料電池の出し入れを行うよう構成された蓋に前記水の排出口を略囲むように弾性部材を構成し、前記物質側で前記燃料電池の水排出口側を押し付けるようにしたことを特徴とする携帯機器。
【請求項５】
請求項４記載の携帯機器において、前記蓋は湿度が通過可能なように構成されていることを特徴とする燃料電池を使用するカメラ及び携帯機器。
【請求項６】
水排出口を有する燃料電池を使用するカメラ等の携帯機器において、前記燃料電池の収納される空間に送風する装置を設けたことを特徴とする携帯機器。
【請求項７】
燃料電池を使用するカメラ等の携帯機器において、燃料電池の収納される空間に送風する装置を備えると共に、送風される電池室内の壁の一部を斜めに構成し、電池の空気取り入れ口に風があたるように構成したことを特徴とする携帯機器。
【発明の詳細な説明】
【技術分野】
【０００１】
本発明は、燃料電池を電源として使用するデジタルカメラ等の携帯機器の電池室の構造に関するものである。
【背景技術】
【０００２】
最近燃料電池を電源として使用する携帯機器については種々のものが考案されている。
【０００３】
特に、携帯用の燃料電池に関しては、メタノールなどの有機燃料をアノードに直接供給しながら発電する燃料電池が考案されている。これはメタノールなどの有機燃料を水素リッチな改質ガスに改質するための改質器を必要としないため、構成が簡単であり携帯機器用の電源として期待されている。このタイプの燃料電池の詳細は特許文献１に記載されている。このタイプの燃料電池（ＤＭＦＣ）を簡単に説明すると、通常、アノード側に有機燃料を供給しながらカソード側に空気を供給して運転しており、下記式のように反応が起こる。
【０００４】
ＣＨ３ＯＨ+Ｈ２Ｏ→ＣＯ２+６Ｈ＋+６ｅ−
そして、アノード側で発生するプロトン（Ｈ＋）は電解質である固体高分子膜を透過してカソード側に移動し、下記式のように空気中の酸素と反応する
Ｏ２+４Ｈ＋+４ｅ−  →  ２Ｈ２Ｏ
そして、発電と同時に炭酸ガスと水が生成されることになる。
【０００５】
燃料電池は燃料と酸化剤を供給するだけで発電することができるという利点を有するだけでなく、燃料を交換すれば連続して発電でき、かつ２次電池の充電が数時間にも及ぶことを考えると、ほぼ瞬時に新しい電池によみがえるということになる。消費電力が小さい携帯機器の作動にきわめて有利なシステムといえる。
【０００６】
携帯パソコンの電源として燃料電池を用いた例は、特許文献２に記載されている。
【０００７】
また、特許文献３はパソコンに燃料電池を使用した構成で、水からパソコンを守るため、水の回収装置の構成が記載され、特許文献４には、携帯電話への燃料電池の応用が記載されている。
【特許文献１】特開２００２−０５６８５７号公報
【特許文献２】特開平０９−２１３３５９号公報
【特許文献３】特開２００２−０４９４４０号公報
【特許文献４】特開２００２−１００３７６号公報
【発明の開示】
【発明が解決しようとする課題】
【０００８】
しかし上記従来例には以下のような欠点があった。
【０００９】
燃料電池は本質的に水を発生する。そのためこの水は気化させたり、外に排出させたりするが、持ち歩くタイプのカメラ等の携帯機器では、この水が機器の内部に入りこんで機器が故障してしまう危険性がある。
【００１０】
上記特許文献２は内部に保水手段を有しており、そこで保水させる。しかしそれでも追いつかない場合には保水用のタンクがあり、タンクの取り外しや、保水手段の交換についての記載されている。
【００１１】
しかしこのような構成では、保水手段のスペース、保水タンクのスペースが必要であり、携帯機器、パソコンぐらいの大きさであればこのような手段の燃料電池構成でも、このぐらいのスペースは確保できるが、これがカメラや携帯電話等では、このスペースを取ることは非常に困難である。また起動時に立ち上がり特性を良くするために空気を多量にファンで送風することは記載されているが、具体的な形状や構成については何も記載されていない
また、上記特許文献３はパソコンに燃料電池を構成したもので、精製された水をパソコンに影響を与えないように外に排出する方法が記されているが、排水用のホースを使用するために、カメラや携帯電話等には到底応用ができない方法である。
【００１２】
さらに、特許文献４は携帯電話に燃料電池を応用したものであるが、燃料の蓄積するための構成で、水の排出手段等については何も記載されてない。
【００１３】
本発明は、上記課題に鑑みて成されたものであり、燃料電池から発生した水の保水、排出等を確実に行え、携帯性の高く小型のカメラ等に適した燃料電池を使用した携帯機器を提供することを目的とする。
【課題を解決するための手段】
【００１４】
上記課題を解決するため、本発明では以下のように構成している。
【００１５】
請求項１記載の携帯機器は、水排出口を有する燃料電池ユニットをカメラや携帯機器の電源として使用し、かつ燃料電池を出し入れする電池室と脱落防止の蓋を構成する構造とし、該蓋にモルトプレーン等の多数の穴のあいた弾性物質を蓋に固定し、前記電池の水排出口側から電池ユニットを電池室内の奥側に押し付けるように構成することで、水排出口から排出された水分をモルトプレーンで保水し、携帯機器内へ水が流れ出ることを防いでいる。燃料電池ユニットの電源接点が水排出口とは逆側の面に構成することで、このモルトプレーンは電池ユニットの接点に携帯機器の切片を押し付け、接触不良を防ぐ役目も果たしている。またモルトプレーンで電池ユニットを押し付けることで電池が振動等で電池室内でがたがた動くことも防止している。
【００１６】
また、請求項２記載の携帯機器は、電池蓋に付けたモルトプレーンの周りにリブ上に突起部をつけることで、モルトプレーンが保水している水分が電池蓋以外の所に流れるのを防いでいる。
【００１７】
また、請求項３記載の携帯機器は、請求項１記載の携帯機器に対して、電池ユニットから排出された水を保水しているモルトプレーン等の気化した水が後携帯機器の外側に通過するように、電池の蓋に穴をあけたことを特徴とする。また電池蓋の穴に機能性膜を取り付け、外側から侵入する水滴やゴミを防ぐようにしたことである。ただしこの機能性膜は、たとえばゴアテックスのように、湿度等は通過し、水滴や水、ゴミは通過しないような構造のものである。
【００１８】
また、請求項４記載の携帯機器は、水排出口を有する燃料電池ユニットをカメラや携帯機器の電源として使用し、かつ燃料電池を出し入れする電池室と脱落防止の蓋を構成する構造とし、該蓋にリング状のゴム等の弾性物質を蓋に固定し、前記電池の水排出口側から電池ユニットを電池室内の奥側に押し付けるように構成することで、水排出口から排出された水分を電池ユニットと電池蓋で圧縮されたゴムで密閉空間として、携帯機器内へ水が流れ出ることを防いでいる。燃料電池ユニットの電源接点が水排出口とは逆側の面に構成することで、この円周上の弾性部材（ゴム）は電池ユニットの接点に携帯機器の切片を押し付け、接触不良を防ぐ役目も果たしている。またゴムで電池ユニットを押し付けることで電池が振動等で電池室内でガタガタと動くことも防止している。
【００１９】
また、請求項５記載の携帯機器は、請求項４記載の携帯機器に対して、電池ユニットから排出された水を溜めているゴム等の空間で気化した水が後携帯機器の外側に通過するように、電池の蓋に穴をあけたことを特徴とする。
【００２０】
また、請求項６記載の携帯機器は、電池室の中にファンで送風するように構成することで、電池に必要な空気を送ることばかりでなく、電池の外周で温まった空気が下のほうに流れていくために、モルトプレーン等に吸収された水分は早く乾燥するばかりでなく、外側に出るように構成されているために、湿度が電池室内にたまることがなく、接点のさびや、湿度によるショート等がなくなる。
【００２１】
また、請求項７記載の携帯機器は、ファンで送風された風を電池室本体の壁を斜めにカットして風を曲げ、燃料電池の空気取り入れ口に新鮮な空気を常に当てることで、発電が促進されるように構成されていることを特徴としている。
【発明の効果】
【００２２】
本発明によれば、請求項１記載の携帯機器では電池蓋にモルトプレーン等の水分保水が可能な材料を固定し、それで電池の水排出口を抑えて、電池を反対側に押し付けることで、接点の接触が安定し、かつ水排出口から染み出た水分をカメラや携帯機器の中に入れることが内容に防ぐ役目も果たす。
【００２３】
さらに、請求項２では、モルトプレーンを貼り付けた電池蓋のモルトプレーンの周囲にリブをつけることで、モルトプレーンが保水している水が、カメラが斜めになっても蓋より外にたれないようになる。
【００２４】
また、請求項３では、モルトプレーンの貼り付けた電池蓋のモルトプレーン部に穴をあけ、かつ湿度や空気は通過するが、水滴や水は通過しない機能性膜を貼り付け、湿度がスムーズに携帯機器の外に出るようなる。
【００２５】
また、請求項４記載の携帯機器は、電池蓋にリング状のゴムを貼り付け、電池蓋とゴムと電池で略密閉空間を作り、そこに排出された水分を溜めるようすることが可能となる。
【００２６】
また、請求項５では、電池蓋には穴をあけ、外にのみ水分を出すように構成されている。よって、当然機能性膜を貼り付け、外から余計な水分や水や埃が入らないようにしている。
【００２７】
また、請求項６では、排出された水分を、より早く気化させ、かつ外に出すように、モーターとファンを取り付ける構成であるため、電池と電池室内に空気を送風することができる。
【００２８】
また、請求項７では、本体の壁の一部に斜めの空気が反射するような壁を作ることで、燃料電池には絶対必要な空気を効率よく多量に燃料電池に当てるようにした効果も得られるようにした。
【発明の最良の実施形態】
【００２９】
以下に本発明の実施例について説明する。
【実施例１】
【００３０】
以下に、本発明の第１の実施例を図１〜図３に基づき説明する。また  携帯機器用燃料電池の構成については、上述の特許文献１、２等に詳細が記載されているので、本実施例での記述は省略する。なお、本実施例では、携帯機器としてカメラを図示しているが、これに限定されるものではない。
【００３１】
図１の１はカメラ本体、２はレンズ、３はファインダー、４はストロボ、５はレリーズボタン、６は表示器、７は記録媒体挿入蓋、１０は電池蓋、５０は燃料電池、５１、５２は端子、５３は空気供給部である。
【００３２】
図２は電池室の断面図であり、１ａは電池室、１０ａは電池蓋１０から突出しているリブでモルトプレーン１２を囲むように構成されている。また、リブ１０ａは電池が入っていない状態ではモルトプレーンとの隙間１０ｂが形成されている。１１は穴である。１３は機能性膜で、この材質は空気や湿度は通過するが、水滴や水等は通過できないものである。２１、２２は電源端子で、２３、２４のコードがついており、不図示の基板についている。
【００３３】
図３は、この電池室１ａに燃料電池を入れて電池蓋１０を閉めたときの断面図である。電池蓋１０を閉めることでモルトプレーン１２は電池に押されて変形し横に広がる。図のようにモルトプレーン１２と蓋１０のリブ１０ａの隙間１０ｂを埋めるように変形する。このとき、燃料電池の水排出口５４はモルトプレーン１２にぴったりくっついている。電池５０の上面にある電源端子５１、５２は本体側の端子２１、２２と圧接しており、モルトプレーン１２で下から押されている。電池５０の水排出口５４から出た水分は、モルトプレーン１２の中にしみ込んでいく。ここで染み込んだ水は下にたまってくるが、蓋の全周にリブ１０ａがあるために、水がそれより外側に行くことはない。また染み込んだ水は、そのうちに乾いて蒸発し、機能性膜１３、穴１１を会して空気中に分散される。
【実施例２】
【００３４】
次に、本発明の第２の実施例を図４に基づいて説明する。
【００３５】
１はカメラ本体、１ａは電池室、１０は電池蓋、１１は穴で内側に空気や湿度は通過するが、水滴や水は通過できない機能性膜１３が貼り付けてある。１５は球状に構成されているゴムのような弾性部材で、電池５０を上に押し付けており、ゴムは変形している。よって、電池の水排出口５４から水が出ても電池蓋１０、弾性材１５、電池５０で囲まれてできる空間にたまるようになる。この水が気化すると機能性膜１３から外に出て行く。電池上部の端子５１、５２は本体側の端子２１、２２と圧接している。よってこの燃料電池から水が排出されてもカメラには何ら悪影響はない。
【実施例３】
【００３６】
本発明の第３の実施例を第５図に基づいて説明する。
【００３７】
２０１はカメラ本体である。２０１ｂは穴、２５１はモーターでこの先にファン２５２がついており、回転することで本体の穴２０１ｂより電池室内に空気を送風する。この送風された空気は電池と電池室の隙間を縫って、下のほうに送られる。  
【００３８】
Ｍ１〜Ｍ９のような経路で電池室と電池蓋の間から、そして電池蓋についているモルトプレーンの中を通過して電池蓋についている穴２１１からも空気は抜ける。  
【００３９】
これによってモルトプレーン１２内の水分は気化が促進される。また電池室内の湿度の高い空気も外に出される。また、送風の一部は電池室内の斜めの壁２０１ｃにぶつかり、空気の流れ  Ｍ１０、Ｍ１１となって、燃料電池の空気取り入れ口部５３に新鮮な空気があたるように構成されている。
【図面の簡単な説明】
【００４０】
【図１】本発明に係る第１の実施例の携帯機器を示す斜視図である。
【図２】本発明に係る第１の実施例の要部断面図である。
【図３】本発明に係る第１の実施例の燃料電池を挿入した際の要部断面図である。
【図４】本発明に係る第２の実施例の携帯機器の要部断面図である。
【図５】本発明に係る第３の実施例の携帯機器の要部断面図である。
【符号の説明】
【００４１】
１          カメラ本体
２          レンズ
３          ファインダー
５          レリーズボタン
５０        燃料電池
５１，５２  電源端子
５３        空気取り入れ口
５４        水排出口
１０        電池蓋
１１        穴
１２        モルトプレーン
１３        機能性膜
２１，２２  電源端子
１５        ゴムパッキン
２５１      モーター
２５２      ファン
【図１】
2005174774.tif 000003
【図２】
2005174774.tif 000004
【図３】
2005174774.tif 000005
【図４】
2005174774.tif 000006
【図５】
2005174774.tif 000007